(57)【要約】【課題】  表示部に影響を与えず、発光素子の光を光発散部材から外部に集中させて発散できる発光装置を提供する。【解決手段】  腕時計ケース１の開口部２に取り付けられた時計ガラス３の下側に発光素子１１を配置し、時計ガラス３の上側に、一部が発光素子１１に対向すると共に他の一部が時計ガラス３の外側に位置する光発散部材１２を配置し、発光素子１１に対向する光発散部材１２の下面を拡散面１３に形成した。従って、発光素子１１の光が時計ガラス３を透過して光発散部材１２に入射するときに、光発散部材１２の拡散面３によって入射光を拡散させることができる。このため、光発散部材１２が表示部９に対し光による影響を及ぼすことがなく、発光素子１１の光を光発散部材１２から外部に集中させて発散させることができ、これにより光発散部材１２を明るく発光させて、光により注意を喚起することができる。【選択図】        図３
2006330039.tif 000002
【特許請求の範囲】
【請求項１】
開口部を有する機器ケースと、
この機器ケースの内部に前記開口部と対向して配置された表示部と、
前記機器ケースの前記開口部に取り付けられた保護ガラスと、
この保護ガラスの下側に配置された発光素子と、
前記保護ガラスの上側に配置され、一部が前記発光素子に対向すると共に他の一部が前記保護ガラスの外側に位置する拡散機能を有する光発散部材と
を備えたことを特徴とする発光装置。
【請求項２】
前記光発散部材は、前記発光素子に対向する下面を拡散面に形成した構成であることを特徴とする請求項１に記載の発光装置。
【請求項３】
前記光発散部材は、前記発光素子に対向する下面に拡散板を設けた構成であることを特徴とする請求項１に記載の発光装置。
【請求項４】
前記光発散部材は、上層部と下層部との２層構造で、前記上層部と前記下層部との重なり合う面を拡散面に形成した構成であることを特徴とする請求項１に記載の発光装置。
【請求項５】
前記光発散部材は、上層部と下層部との２層構造で、前記上層部と前記下層部との間に拡散板を設けた構成であることを特徴とする請求項１に記載の発光装置。
【請求項６】
前記光発散部材は、前記発光素子に対向する前記下層部の下面を拡散面に形成した構成であることを特徴とする請求項４または５に記載の発光装置。
【発明の詳細な説明】
【技術分野】
【０００１】
この発明は、時計や携帯電話機、ＰＤＡ（パーソナル・デジタル・アシスタント）などの電子機器に用いられる発光装置に関する。
【背景技術】
【０００２】
例えば、腕時計においては、アラーム時刻に発光装置を発光させて使用者にアラーム時刻を知らせるようにしたものがある。このような発光装置には、特許文献１に記載されているように、腕時計ケースの上部に時計ガラスが取り付けられ、この腕時計ケースの内部に発光素子を配置し、この発光素子の上側で且つ時計ガラスの下側に拡散機能を有するカバー部材を設け、このカバー部材によって発光素子の光を拡散させ、この拡散した光を時計ガラスを通して外部に発散させるように構成したものがある。
【特許文献１】特開平６−１６２８０９号
【発明の開示】
【発明が解決しようとする課題】
【０００３】
しかしながら、このような従来の発光装置では、時計ガラスの下側に発光素子からの光を拡散するカバー部材を設けた構成であるから、発光素子からの光をカバー部材で拡散して発散すると、この拡散された発散光が時計ガラスのほぼ全体に向けて照射され、この時計ガラスに照射された光によって腕時計ケース内に設けられた表示部を照明することができても、アラーム時刻に光をカバー部材から腕時計ケースの外部に集中させて発散させることができず、このためアラーム時刻を光によって喚起することができないという問題がある。
【０００４】
この発明が解決しようとする課題は、光発散部材が表示部に対し光による影響を及ぼすことなく、発光素子で発光した光を光発散部材から機器ケースの外部に集中させて発散させることができる発光装置を提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図１０に示すように、開口部（２）を有する機器ケース（腕時計ケース１）と、この機器ケースの内部に前記開口部と対向して配置された表示部（９）と、前記機器ケースの前記開口部に取り付けられた保護ガラス（時計ガラス３）と、この保護ガラスの下側に配置された発光素子（１１）と、前記保護ガラスの上側に配置され、一部が前記発光素子に対向すると共に他の一部が前記保護ガラスの外側に位置する拡散機能を有する光発散部材（１２、２１、３１、４１、５１、６１）とを備えたことを特徴とする発光装置である。
【０００７】
請求項２に記載の発明は、図１〜図３に示すように、前記光発散部材（１２）が前記発光素子（１１）に対向する下面を拡散面（１３）に形成した構成であることを特徴とする請求項１に記載の発光装置である。
【０００８】
請求項３に記載の発明は、図４に示すように、前記光発散部材（２１）が前記発光素子（１１）に対向する下面に拡散板（２２）を設けた構成であることを特徴とする請求項１に記載の発光装置である。
【０００９】
請求項４に記載の発明は、図５および図６に示すように、前記光発散部材（３１）が、上層部（３２）と下層部（３３）との２層構造で、前記上層部と前記下層部との重なり合う面を拡散面（３４）に形成した構成であることを特徴とする請求項１に記載の発光装置である。
【００１０】
請求項５に記載の発明は、図７に示すように、前記光発散部材（４１）が、上層部（３２）と下層部（３３）との２層構造で、前記上層部と前記下層部との間に拡散板（４２）を設けた構成であることを特徴とする請求項１に記載の発光装置である。
【００１１】
請求項６に記載の発明は、図８〜図１０に示すように、前記光発散部材（５１、６１）が、前記発光素子（１１）に対向する前記下層部（３３）の下面を拡散面（５２）に形成した構成であることを特徴とする請求項４または５に記載の発光装置である。  
【発明の効果】
【００１２】
請求項１に記載の発明によれば、機器ケースの開口部に取り付けられた保護ガラスの下側に発光素子を配置し、保護ガラスの上側に、一部が発光素子に対向すると共に他の一部が保護ガラスの外側に位置する拡散機能を有する光発散部材を配置したので、発光素子で発光した光がこれに対向する部分の保護ガラスを透過して光発散部材に入射すると共に、この入射光が光発散部材の拡散機能で拡散されることにより、光発散部材の一部が発光素子に対向する保護ガラスの上側に配置され、且つ光発散部材の他の一部が保護ガラスの外側に配置されていても、光発散部材の全域に光をほぼ均一に透過させて機器ケースの外部に発散させることができる。
【００１３】
すなわち、発光素子で発光した光は、保護ガラスにおける発光素子と対向する部分のみを透過して光発散部材に入射するので、従来例のように発光素子の光が保護ガラスの全域に照射されることがなく、しかも光発散部材は、その一部が発光素子に対向する保護ガラスの上側に配置されると共に他の一部が保護ガラスの外側に配置された構成であるから、発光素子を表示部の近傍に接近させて配置しても、光発散部材の発散面積を大きくすることができる共に、光発散部材の中心部を表示部から離すことができる。このため、光発散部材が表示部に対し光による影響を及ぼすことなく、発光素子で発光した光を光発散部材から機器ケースの外部に集中させて発散させることができ、これにより光発散部材を明るく発光させて、光により注意を喚起することができる。
【００１４】
請求項２に記載の発明によれば、光発散部材が発光素子に対向する下面を拡散面に形成した構成であることにより、発光素子で発光した光がこれに対向する部分の保護ガラスを透過して光発散部材に入射するときに、光発散部材の下面に形成された拡散面によって、入射光を光発散部材の全域に向けて拡散させることができる。このため、光発散部材の一部が発光素子に対向する保護ガラスの上側に配置され、且つ光発散部材の他の一部が保護ガラスの外側に配置されていても、光発散部材の全域に光をほぼ均一に透過させて機器ケースの外部に発散させることができ、これにより請求項１に記載の発明と同様、光発散部材が表示部に対し光による影響を及ぼすことなく、発光素子で発光した光を光発散部材から機器ケースの外部に集中させて発散させることができる。
【００１５】
請求項３に記載の発明によれば、光発散部材が発光素子に対向する下面に拡散板を設けた構成であることにより、発光素子で発光した光がこれに対向する部分の保護ガラスを透過して光発散部材に入射するときに、光発散部材の下面に設けられた拡散板によって、入射光を光発散部材の全域に向けて拡散させることができる。このため、光発散部材の一部が発光素子に対向する保護ガラスの上側に配置され、且つ光発散部材の他の一部が保護ガラスの外側に配置されていても、光発散部材の全域に光をほぼ均一に透過させて機器ケースの外部に発散させることができ、これにより請求項１に記載の発明と同様、光発散部材が表示部に対し光による影響を及ぼすことなく、発光素子で発光した光を光発散部材から機器ケースの外部に集中させて発散させることができる。
【００１６】
請求項４に記載の発明によれば、光発散部材が、上層部と下層部との２層構造で、上層部と下層部とが重なり合う面を拡散面に形成したことにより、発光素子で発光した光がこれに対向する部分の保護ガラスを透過して光発散部材の下層部に入射し、この入射光が下層部を透過して上層部に入射するときに、上部層と下層部との重なり合う面に形成された拡散面によって、入射光を光発散部材の上層部の全域に向けて拡散させることができる。このため、光発散部材の一部が発光素子に対向する保護ガラスの上側に配置され、且つ光発散部材の他の一部が保護ガラスの外側に配置されていても、光発散部材における上層部の全域に光をほぼ均一に透過させて機器ケースの外部に発散させることができ、これにより請求項１に記載の発明と同様、光発散部材が表示部に対し光による影響を及ぼすことなく、発光素子で発光した光を光発散部材から機器ケースの外部に集中させて発散させることができる。
【００１７】
請求項５に記載の発明によれば、光発散部材が、上層部と下層部との２層構造で、上層部と下層部との間に拡散板を設けたことにより、発光素子で発光した光がこれに対向する部分の保護ガラスを透過して光発散部材の下層部に入射し、この入射光が下層部を透過して上層部に入射するときに、上層部と下層部との間に設けられた拡散板によって、入射光を光発散部材の上層部の全域に向けて拡散させることができる。このため、光発散部材の一部が発光素子に対向する保護ガラスの上側に配置され、且つ光発散部材の他の一部が保護ガラスの外側に配置されていても、光発散部材における上層部の全域に光をほぼ均一に透過させて機器ケースの外部に発散させることができ、これにより請求項１に記載の発明と同様、光発散部材が表示部に対し光による影響を及ぼすことなく、発光素子で発光した光を光発散部材から機器ケースの外部に集中させて発散させることができる。
【００１８】
請求項６に記載の発明によれば、光発散部材が、発光素子に対向する下層部の下面を拡散面に形成した構成であることにより、発光素子で発光した光がこれに対向する部分の保護ガラスを透過して光発散部材の下層部に入射するときに、下層部の下面に形成された拡散面によって、入射光を下層部の全域に向けて拡散させることができると共に、この拡散された光が下層部から上層部に入射するときに、上層部と下層部との重なり合う面に形成された拡散面、または上層部と下層部との間に設けられた拡散板によって、入射光を上層部の全域に向けて更に拡散させることができる。
【００１９】
このため、光発散部材の一部が発光素子に対向する保護ガラスの上側に配置され、且つ光発散部材の他の一部が保護ガラスの外側に配置されていても、光発散部材の下層部の下面に形成された拡散面と、上層部と下層部との重なり合う面に形成された拡散面、または上層部と下層部との間に設けられた拡散板との両者によって、発光素子からの光を拡散させることができるので、請求項２〜５に記載の発明のものよりも、より一層、光発散部材の全域に光を均一に透過させて機器ケースの外部に発散させることができ、これにより請求項１〜５に記載の発明と同様、光発散部材が表示部に対し光による影響を及ぼすことがなく、発光素子で発光した光を効率良く光発散部材から機器ケースの外部に集中させて発散させることができる。
【発明を実施するための最良の形態】
【００２０】
（実施形態１）
以下、図１〜図３を参照して、この発明を腕時計に適用した実施形態１について説明する。
図１はこの発明の腕時計を示した正面図、図２は図１のＡ−Ａ矢視における拡大断面図、図３は図２の発光装置の光路状態を示した図である。
この腕時計は、図１〜図３に示すように、腕時計ケース１を備えている。この腕時計ケース１の上部には、図２に示すように、開口部２が設けられており、この開口部２には、時計ガラス３が取り付けられている。また、この腕時計ケース１の上部外周には、図１および図２に示すように、ベゼル４が時計ガラス３の外周縁の上面を覆った状態で、複数の飾りねじ４ａによって取り付けられている。
【００２１】
一方、腕時計ケース１の内部には、図２に示すように、時計モジュール５が収納されており、この腕時計ケース１の下面には、裏蓋６が防水リング６ａを介して取り付けられている。この場合、時計モジュール５は、図２に示すように、ハウジング７を備えている。このハウジング７の上部には、文字板８が時計ガラス３に対応して設けられており、ハウジング７の内部には、表示部９が文字板８の開口部８ａに対応して設けられている。この表示部９は、液晶表示装置やＥＬ（エレクトロルミネッセンス）表示装置などの平面型の表示装置からなり、時刻などの情報を電気光学的に表示するように構成されている。
【００２２】
ところで、この腕時計ケース１には、図１に示すように、発光装置１０がほぼ５時付近に設けられている。この発光装置１０は、図２に示すように、時計ガラス３の下側で表示部９の側方に配置された発光素子１１と、一部が発光素子１１に対向すると共に他の一部が時計ガラス３の外側に位置する光発散部材１２とを備えている。発光素子１１は、ＬＥＤ（発光ダイオード）などからなり、図２に示すように、時計ガラス３の下側で表示部９の側方に位置する箇所、つまり文字板８の端部に設けられた収納凹部８ｂ内に配置され、時計モジュール５内の回路基板（図示せず）に電気的に接続されている。
【００２３】
光発散部材１２は、図１および図２に示すように、透明または半透明のガラスまたは合成樹脂からなり、全体がほぼ円板状に形成され、ベゼル４に設けられた収納孔１４内に嵌め込まれて、内周部側の一部が発光素子１１に対向する時計ガラス３の上面に配置され、外周部側の一部が時計ガラス３の外側に位置して腕時計ケース１の上面に配置されるように構成されている。また、この光発散部材１２は、拡散機能を有するものであり、発光素子１１に対向する部分の下面が拡散面１３に形成された構成になっている。
【００２４】
この拡散面１３は、図２および図３に示すように、波形の凹凸形状に形成され、発光素子１１からの光が時計ガラス３を透過して光発散部材１２に入射するときに、光発散部材１２の全域に向けて拡散するように構成されている。すなわち、この拡散面１３の波形の凹凸面は、時計ガラス３の中心側を向く傾斜面が緩やかな傾斜で、時計ガラス３の外周側を向く傾斜面が急な傾斜で、これらが波状に連続して形成され、緩やかな傾斜の傾斜面によって発光素子１１からの光を時計ガラス３の外周側に向けて屈折するように構成されている。なお、この光発散部材１２の上面には、図１〜図３に示すように、装飾用の凹凸部１５が市松模様などの装飾模様で形成されている。
【００２５】
このような腕時計の発光装置１０によれば、腕時計ケース１の開口部２に取り付けられた時計ガラス３の下側に発光素子１１を表示部９の側方に位置させて配置し、時計ガラス３の上側に、内周部側の一部が発光素子１１に対向すると共に外周部側の一部が時計ガラス３の外側に位置する光発散部材１２を配置し、発光素子１１に対向する光発散部材１２の下面を拡散面１３に形成したので、発光素子１１で発光した光がこれに対向する部分の時計ガラス３を透過して光発散部材１２に入射するときに、図３に示すように、光発散部材１２の下面に形成された拡散面１３によって、入射光を光発散部材１２の全域に向けて拡散させることができる。
【００２６】
このため、光発散部材１２は、その内周部側の一部が発光素子１１に対向する時計ガラス３の上側に配置され、且つ外周部側の一部が時計ガラス３の外側に配置された構成であっても、発光素子１１に対向する光発散部材１２の下面に形成された拡散面１３によって、発光素子１１からの光を拡散することにより、光発散部材１２の全域に光をほぼ均一に透過させて腕時計ケース１の外部に発散させることができる。なお、このときには、光発散部材１２の上面に形成された装飾用の凹凸部１５によっても、光を拡散させることができる。これにより、発光素子１１で発光した光を光発散部材１２から腕時計ケース１の外部に集中させて発散させることができる。
【００２７】
この場合、発光素子１１で発光した光は、これに対向する時計ガラス３の部分のみを透過して光発散部材１２に入射するので、従来例のように発光素子１１の光が時計ガラス３の全体に向けて照射されることがない。また、光発散部材１２は、その内周部側の一部が発光素子１１に対向する時計ガラス３の上側に位置すると共に、外周部側の一部が時計ガラス３の外側に位置する構成であるから、発光素子１１を表示部９の近傍に接近させて配置しても、光発散部材１２の発散面積を大きくすることができると共に、光発散部材１２の中心部をできるだけ表示部９から離すことができる。このため、光発散部材１２が表示部９に対し光による影響を及ぼすことなく、発光素子１１で発光した光を光発散部材１２から腕時計ケース１の外部に集中させて発散させることができ、これにより光発散部材１２を明るく発光させて、アラーム時刻などの注意を光によって喚起することができる。
【００２８】
（実施形態２）
次に、図４を参照して、この発明を腕時計に適用した実施形態２について説明する。なお、図１〜図３に示された実施形態１と同一部分には同一符号を付して説明する。
この腕時計の発光装置２０は、光発散部材２１の下面に拡散板２２を設けた構成で、これ以外は実施形態１と同じ構成になっている。この場合にも、発光素子１１は、実施形態１と同様、腕時計ケース１の開口部２に取り付けられた時計ガラス３の下側で表示部９の側方に位置した状態で配置されている。
【００２９】
光発散部材２１は、実施形態１と同様、透明または半透明のガラスまたは合成樹脂からなり、全体がほぼ円板状に形成され、ベゼル４に設けられた収納孔１４内に嵌め込まれて、腕時計ケース１のほぼ５時付近に配置されている。また、この光発散部材２１も、図４に示すように、その内周部側の一部が発光素子１１に対向する時計ガラス３の上面に配置され、外周部側の一部が時計ガラス３の外側に位置して腕時計ケース１の上面に配置された構成になっている。
【００３０】
そして、この光発散部材２１の下面に設けられた拡散板２２は、図４に示すように、発光素子１１に対向して配置され、発光素子１１からの光が時計ガラス３を透過して入射するときに、その入射光を光発散部材２１の全域に向けて拡散するように構成されている。なお、この光発散部材２１の上面にも、実施形態１と同様に、装飾用の凹凸部１５が市松模様などの装飾模様で形成されている。
【００３１】
このような腕時計の発光装置２０によれば、腕時計ケース１の開口部２に取り付けられた時計ガラス３の下側に発光素子１１を表示部９の側方に位置させて配置し、時計ガラス３の上側に、内周部側の一部が発光素子１１に対向すると共に外周部側の一部が時計ガラス３の外側に位置する光発散部材２１を配置し、発光素子１１と対向する光発散部材２１の下面に拡散板２２を設けたので、発光素子１１で発光した光がこれに対向する部分の時計ガラス３を透過して光発散部材２１に入射するときに、光発散部材２１の下面に設けられた拡散板２２によって、入射光を光発散部材２１の全域に向けて拡散させることができる。
【００３２】
このため、実施形態１と同様、光発散部材２１は、その内周部側の一部が発光素子１１に対向する時計ガラス３の上側に配置され、且つ外周部側の一部が時計ガラス３の外側に配置された構成であっても、発光素子１１に対向する光発散部材２１の下面に設けられた拡散板２２によって、発光素子１１からの光を拡散することにより、光発散部材２１の全域に光をほぼ均一に透過させて腕時計ケース１の外部に発散させることができる。これにより、発光素子１１で発光した光を光発散部材２１から腕時計ケース１の外部に集中させて発散させることができる。
【００３３】
この場合にも、発光素子１１で発光した光は、これに対向する時計ガラス３の部分のみを透過して光発散部材２１に入射するので、従来例のように発光素子１１の光が時計ガラス３のほぼ全体に照射されることがない。また、光発散部材２１は、その内周部側の一部が発光素子１１に対向する時計ガラス３の上側に位置すると共に、外周部側の一部が時計ガラス３の外側に位置する構成であるから、発光素子１１を表示部９の近傍に接近させて配置しても、光発散部材２１の発散面積を大きくすることができると共に、光発散部材２１の中心部をできるだけ表示部９から離すことができる。
【００３４】
このため、この発光装置２０においても、実施形態１と同様、光発散部材２１が表示部９に対し光による影響を及ぼすことがなく、発光素子１１で発光した光を光発散部材２１から腕時計ケース１の外部に集中させて発散させることができ、これにより光発散部材２１を明るく発光させて、アラーム時刻などの注意を光によって喚起することができる。
【００３５】
なお、上記実施形態１では、光発散部材１２の下面を拡散面１３に形成した構成であり、また上記実施形態２では、光発散部材２１の下面に拡散板２２を設けた構成である場合について述べたが、これに限らず、光発散部材１２、２１中に拡散剤を混入させ、この混入された拡散剤によって発光素子１１からの光を光発散部材１２、２１中で拡散させるように構成しても良い。
【００３６】
（実施形態３）
次に、図５および図６を参照して、この発明を腕時計に適用した実施形態３について説明する。この場合にも、図１〜図３に示された実施形態１と同一部分に同一符号を付して説明する。
この腕時計の発光装置３０は、光発散部材３１が、上層部３２と下層部３３との２層構造で、且つ上層部３２と下層部３３との重なり合う面を拡散面３４に形成した構成で、これ以外は実施形態１とほぼ同じ構成になっている。この場合にも、発光素子１１は、実施形態１と同様、腕時計ケース１の開口部２に取り付けられた時計ガラス３の下側で表示部９の側方に位置した状態で配置されている。
【００３７】
光発散部材３１は、実施形態１と同様、全体がほぼ円板状に形成され、ベゼル４に設けられた収納孔１４内に嵌め込まれて、腕時計ケース１のほぼ５時付近に配置されている。この光発散部材３１も、図５および図６に示すように、内周部側の一部が発光素子１１に対向する時計ガラス３の上面に配置され、外周部側の一部が時計ガラス３の外側に位置して腕時計ケース１の上面に配置された構成なっている。また、この光発散部材３１の上層部３２と下層部３３とは、それぞれ透明または半透明のガラスまたは合成樹脂からなり、上層部３２と下層部３３との重なり合う面が拡散面３４に形成されている。
【００３８】
この拡散面３４は、実施形態１の拡散面１３と同様、それぞれ波形の凹凸形状に形成され、発光素子１１からの光が時計ガラス３を透過して光発散部材３１の下層部３３に入射し、この入射光が下層部３３を透過して上層部３２に入射するときに、その入射光を上層部３２の全域に向けて拡散するように構成されている。すなわち、この拡散面３４の波形の凹凸面も、時計ガラス３の中心側を向く傾斜面が緩やかな傾斜で、時計ガラス３の外周側を向く傾斜面が急な傾斜で、これらが波状に連続して形成され、緩やかな傾斜の傾斜面によって発光素子１１からの光を時計ガラス３の外周側に向けて屈折するように構成されている。なお、この光発散部材３１における上層部３２の上面にも、実施形態１と同様、装飾用の凹凸部(図示せず)が形成されていることが望ましい。
【００３９】
このような腕時計の発光装置３０によれば、腕時計ケース１の開口部２に取り付けられた時計ガラス３の下側に発光素子１１を表示部９の側方に位置させて配置し、時計ガラス３の上側に、内周部側の一部が発光素子１１に対向すると共に外周部側の一部が時計ガラス３の外側に位置する光発散部材３１を配置し、この光発散部材３１を上層部３２と下層部３３との２層で構成し、且つ上部層３２と下層部３３との重なり合う面に拡散面３４を形成したので、発光素子１１で発光した光がこれに対向する部分の時計ガラス３を透過して光発散部材３１の下層部３３に入射し、この入射光が下層部３３を透過して上層部３２に入射するときに、上部層３２と下層部３３との重なり合う面に形成された拡散面３４によって、入射光を光発散部材３１の上層部３２の全域に向けて拡散させることができる。
【００４０】
このため、光発散部材３１は、その内周部側の一部が発光素子１１に対向する時計ガラス３の上側に配置され、且つ外周部側の一部が時計ガラス３の外側に配置された構成であっても、上部層３２と下層部３３との重なり合う面に形成された拡散面３４によって、発光素子１１からの光を拡散することにより、光発散部材３１の上層部３２の全域に光をほぼ均一に透過させて腕時計ケース１の外部に発散させることができる。これにより、発光素子１１で発光した光を光発散部材３１の上層部３２から腕時計ケース１の外部に集中させて発散させることができる。
【００４１】
この場合にも、発光素子１１で発光した光は、これに対向する時計ガラス３の部分のみを透過して光発散部材３１の下層部３３に入射するので、従来例のように発光素子１１の光が時計ガラス３の全体に向けて照射されることがない。また、光発散部材３１は、その内周部側の一部が発光素子１１に対向する時計ガラス３の上側に位置すると共に外周部側の一部が時計ガラス３の外側に位置する構成であるから、発光素子１１を表示部９の近傍に接近させて配置しても、光発散部材３１の発散面積を大きくすることができると共に、光発散部材３１の中心部をできるだけ表示部９から離すことができる。
【００４２】
このため、この発光装置３０においても、実施形態１と同様、光発散部材３１が表示部９に対し光による影響を及ぼすことがなく、発光素子１１で発光した光を光発散部材３１から腕時計ケース１の外部に集中させて発散させることができ、これにより光発散部材３１を明るく発光させて、アラーム時刻などの注意を光によって喚起することができる。
【００４３】
（実施形態４）
次に、図７を参照して、この発明を腕時計に適用した実施形態４について説明する。この場合には、図５および図６に示された実施形態３と同一部分に同一符号を付して説明する。
この腕時計の発光装置４０は、光発散部材４１が、上層部３２と下層部３３との２層構造で、且つ上層部３２と下層部３３との間に拡散板４２を設けた構成で、これ以外は実施形態３と同じ構成になっている。この場合にも、発光素子１１は、実施形態３と同様、腕時計ケース１の開口部２に取り付けられた時計ガラス３の下側で表示部９の側方に位置した状態で配置されている。
【００４４】
光発散部材４１は、実施形態３と同様、全体がほぼ円板状に形成され、ベゼル４に設けられた収納孔１４内に嵌め込まれて、腕時計ケース１のほぼ５時付近に配置されている。また、この光発散部材４１も、図７に示すように、その内周部側の一部が発光素子１１に対向する時計ガラス３の上面に配置され、外周部側の一部が時計ガラス３の外側に位置して腕時計ケース１の上面に配置された構成になっている。
【００４５】
さらに、この光発散部材４１は、実施形態３と同様、上層部３２と下層部３３との２層構造で、上層部３２と下層部３３との間に拡散板４２が配置された構成になっている。この拡散板４２は、発光素子１１からの光が時計ガラス３および光発散部材４１の下層部３３を順に透過して上層部３２に入射するときに、その入射光を光発散部材４１の上層部３２の全域に向けて拡散するように構成されている。なお、この光発散部材４１の上層部３２の上面にも、実施形態１と同様、装飾用の凹凸部(図示せず)が形成されていることが望ましい。
【００４６】
このような腕時計の発光装置４０によれば、腕時計ケース１の開口部２に取り付けられた時計ガラス３の下側に発光素子１１を表示部９の側方に位置させて配置し、時計ガラス３の上側に、内周部側の一部が発光素子１１に対向すると共に外周部側の一部が時計ガラス３の外側に位置する光発散部材４１を配置し、この光発散部材４１の上部層３２と下層部３３との間に拡散板４２を設けたので、発光素子１１で発光した光がこれに対向する部分の時計ガラス３を透過して光発散部材４１の下層部３３に入射し、この入射光が下層部３３を透過して上層部３２に入射するときに、上部層３２と下層部３３との間に設けられた拡散板４２によって、入射光を光発散部材４１の上層部３２の全域に向けて拡散させることができる。
【００４７】
このため、光発散部材４１は、その内周部側の一部が発光素子１１に対向する時計ガラス３の上側に配置され、且つ外周部側の一部が時計ガラス３の外側に配置された構成であっても、光発散部材４１の上部層３２と下層部３３との間に設けられた拡散板４２によって、発光素子１１からの光を拡散することにより、上層部３２の全域に光をほぼ均一に透過させて腕時計ケース１の外部に発散させることができる。これにより、実施形態３と同様、発光素子１１で発光した光を光発散部材４１から腕時計ケース１の外部に集中させて発散させることができる。
【００４８】
この場合にも、発光素子１１で発光した光は、これに対向する時計ガラス３の部分のみを透過して光発散部材４１の下層部３３に入射するので、従来例のように発光素子１１の光が時計ガラス３の全体に向けて照射されることがない。また、光発散部材４１は、その内周部側の一部が発光素子１１に対向する時計ガラス３の上側に位置すると共に外周部側の一部が時計ガラス３の外側に位置する構成であるから、発光素子１１を表示部９の近傍に接近させて配置しても、光発散部材４１の発散面積を大きくすることができると共に、光発散部材４１の中心部をできるだけ表示部９から離すことができる。
【００４９】
このため、この発光装置４０においても、実施形態３と同様、光発散部材４１が表示部９に対し光による影響を及ぼすことがなく、発光素子１１で発光した光を光発散部材４１から腕時計ケース１の外部に集中させて発散させることができ、これにより光発散部材４１を明るく発光させて、アラーム時刻などの注意を光によって喚起することができる。
【００５０】
なお、上記実施形態３では、光発散部材３１が上層部３２と下層部３３との重なり合う面を拡散面３４に形成した構成であり、また上記実施形態４では、光発散部材４１が上層部３２と下層部３３との間に拡散板４２を設けた構成である場合について述べたが、これに限らず、上層部３２と下層部３３とのうち、少なくとも上層部３２中に拡散剤を混入させ、この混入された拡散剤によって発光素子１１からの光を上層部３２中で拡散させるように構成しても良い。
【００５１】
（実施形態５）
次に、図８および図９を参照して、この発明を腕時計に適用した実施形態５について説明する。この場合にも、図５および図６に示された実施形態３と同一部分に同一符号を付して説明する。
この腕時計の発光装置５０は、光発散部材５１が、上層部３２と下層部３３との２層構造で、上層部３２と下層部３３との重なり合う面を拡散面３４に形成すると共に、発光素子１１に対向する下層部３３の下面を拡散面５２に形成した構成になっている。
【００５２】
この場合にも、発光素子１１は、実施形態３と同様、腕時計ケース１の開口部２に取り付けられた時計ガラス３の下側で表示部９の側方に位置した状態で配置されている。また、光発散部材５１は、実施形態３と同様、全体がほぼ円板状に形成され、ベゼル４に設けられた収納孔１４内に嵌め込まれて、腕時計ケース１のほぼ５時付近に配置されている。この光発散部材５１も、図８および図９に示すように、内周部側の一部が発光素子１１に対向する時計ガラス３の上面に配置され、外周部側の一部が時計ガラス３の外側に位置して腕時計ケース１の上面に配置された構成になっている。
【００５３】
さらに、この光発散部材５１は、上層部３２と下層部３３との２層構造であり、これら上層部３２と下層部３３とは、それぞれ透明または半透明のガラスまたは合成樹脂からなり、上層部３２と下層部３３との重なり合う面が拡散面３４に形成されているほか、発光素子１１に対向する下層面３３の下面が拡散面５２に形成されている。この場合、上層部３２と下層部３３との重なり合う面に形成された拡散面３４は、実施形態３と同じ構成になっている。
【００５４】
また、下層面３３の下面に形成された拡散面５２は、図８および図９に示すように、波形の凹凸形状に形成され、発光素子１１からの光が時計ガラス３を透過して下層部３３に入射するときに、その下層部３３の全域に向けて拡散するように構成されている。すなわち、この拡散面５２の波形の凹凸面も、実施形態１と同様、時計ガラス３の中心側を向く傾斜面が緩やかな傾斜で、時計ガラス３の外周側を向く傾斜面が急な傾斜で、これらが波状に連続して形成され、緩やかな傾斜の傾斜面によって発光素子１１からの光を時計ガラス３の外周側に向けて屈折するように構成されている。なお、この光発散部材５１における上層部３２の上面にも、実施形態１と同様、装飾用の凹凸部（図示せず）が形成されていることが望ましい。
【００５５】
このような腕時計の発光装置５０によれば、時計ガラス３の下側で表示部９の側方に発光素子１１を配置し、時計ガラス３の上側に、内周部側の一部が発光素子１１に対向すると共に外周部側の一部が時計ガラス３の外側に位置する光発散部材５１を配置し、この光発散部材５１の上部層３２と下層部３３との重なり合う面を拡散面３４に形成すると共に、発光素子１１に対向する下層部３３の下面を拡散面５２に形成したので、発光素子１１で発光した光がこれに対向する部分の時計ガラス３を透過して光発散部材５１の下層部３３に入射するときに、下層部３３の下面に形成された拡散面５２によって、入射光を下層部３３の全域に向けて拡散させることができ、この拡散した光が下層部３３から上層部３２に入射するときに、上部層３２と下層部３３との重なり合う面に形成された拡散面３４によって、その入射光を光発散部材５１の上層部３２の全域に向けて更に拡散させることができる。
【００５６】
このため、光発散部材５１は、その内周部側の一部が発光素子１１に対向する時計ガラス３の上側に配置され、且つ外周部側の一部が時計ガラス３の外側に配置された構成であっても、発光素子１１に対向する下層部３３の下面に形成された拡散面５２と、上部層３２と下層部３３との重なり合う面に形成された拡散面３４との両者によって、発光素子１１からの光を拡散することにより、実施形態３、４に比べて、より一層、光発散部材５１の全域、つまり下層部３３と上層部３２との両方に光を均一に透過させて腕時計ケース１の外部に発散させることができる。これにより、発光素子１１で発光した光を光発散部材５１から効率良く腕時計ケース１の外部に集中させて発散させることができる。
【００５７】
この場合にも、発光素子１１で発光した光は、これに対向する時計ガラス３の部分のみを透過して光発散部材５１の下層部３３に入射するので、従来例のように発光素子１１の光が時計ガラス３の全体に向けて照射されることがない。また、光発散部材５１は、その内周部側の一部が発光素子１１に対向する時計ガラス３の上側に位置すると共に外周部側の一部が時計ガラス３の外側に位置する構成であるから、発光素子１１を表示部９の近傍に接近させて配置しても、光発散部材５１の発散面積を大きくすることができると共に、光発散部材５１の中心部をできるだけ表示部９から離すことができる。
【００５８】
このため、この発光装置５０においても、光発散部材５１が表示部９に対し光による影響を及ぼすことがなく、発光素子１１に対向する下層部３３の下面に形成された拡散面５２と、上部層３２と下層部３３との重なり合う面に形成された拡散面３４との両者によって、発光素子１１で発光した光を光発散部材５１から効率良く腕時計ケース１の外部に集中させて発散させることができ、これにより、より一層、光発散部材５１を明るく発光させて、アラーム時刻などの注意を光によって喚起することができる。
【００５９】
（実施形態６）
次に、図１０を参照して、この発明を腕時計に適用した実施形態６について説明する。この場合には、図８および図９に示された実施形態５と同一部分に同一符号を付して説明する。
この腕時計の発光装置６０は、光発散部材６１が、上層部３２と下層部３３との２層構造で、上層部３２と下層部３３との間に拡散板６２を設けると共に、発光素子１１に対向する下層部３３の下面を拡散面５２に形成した構成で、これ以外は実施形態５とほぼ同じ構成になっている。
【００６０】
この場合にも、発光素子１１は、実施形態５と同様、腕時計ケース１の開口部２に取り付けられた時計ガラス３の下側で表示部９の側方に位置した状態で配置されている。また、光発散部材６１は、実施形態５と同様、全体がほぼ円板状に形成され、ベゼル４に設けられた収納孔１４内に嵌め込まれて、腕時計ケース１のほぼ５時付近に配置されている。この光発散部材６１も、図１０に示すように、内周部側の一部が発光素子１１に対向する時計ガラス３の上面に配置され、外周部側の一部が時計ガラス３の外側に位置する腕時計ケース１の上面に配置された構成になっている。
【００６１】
さらに、この光発散部材６１は、図１０に示すように、上層部３２と下層部３３との間に拡散板６２が設けられ、発光素子１１に対向する下層面３３の下面が、実施形態５と同様、拡散面５２に形成された構成になっている。この場合、上層部３２と下層部３３との間に設けられた拡散板６２は、実施形態４と同様、発光素子１１からの光が時計ガラス３および光発散部材６１の下層部３３を順に透過して上層部３２に入射するときに、その入射光を上層部３２の全域に向けて拡散するように構成されている。
【００６２】
また、この光発散部材６１の下層面３３の下面に形成された拡散面５２は、実施形態５と同様、波形の凹凸形成に形成され、発光素子１１からの光が時計ガラス３を透過して下層部３３に入射するときに、その入射光を下層部３３の全域に向けて拡散するように構成されている。なお、この光発散部材６１の上層部３２の上面も、実施形態１と同様に、装飾用の凹凸部(図示せず)が形成されていることが望ましい。
【００６３】
このような腕時計の発光装置６０によれば、時計ガラス３の下側で表示部９の側方に発光素子１１を配置し、時計ガラス３の上側に、内周部側の一部が発光素子１１に対向すると共に外周部側の一部が時計ガラス３の外側に位置する光発散部材６１を配置し、この光発散部材６１の上部層３２と下層部３３との間に拡散板６２を設けると共に、発光素子１１に対向する下層部３３の下面を拡散面５２に形成したので、発光素子１１で発光した光がこれに対向する部分の時計ガラス３を透過して光発散部材６１の下層部３３に入射するときに、下層部３３の下面に形成された拡散面５２によって、入射光を下層部３３の全域に向けて拡散させることができ、この拡散した光が下層部３３から上層部３２に入射するときに、上部層３２と下層部３３との間に設けられた拡散板６２によって、その入射光を上層部３２の全域に向けて更に拡散させることができる。
【００６４】
このため、光発散部材６１は、その内周部側の一部が発光素子１１に対向する時計ガラス３の上側に配置され、且つ外周部側の一部が時計ガラス３の外側に配置された構成であっても、下層部３３の下面に形成された拡散面５２と、上部層３２と下層部３３との間に設けられた拡散板６２との両者によって、発光素子１１からの光を拡散することにより、実施形態５と同様、光発散部材６１の全域、つまり下層部３３と上層部３２との両方に光を均一に透過させて腕時計ケース１の外部に発散させることができる。これにより、発光素子１１で発光した光を効率良く光発散部材６１から腕時計ケース１の外部に集中させて発散させることができる。
【００６５】
この場合にも、発光素子１１で発光した光は、これに対向する時計ガラス３の部分のみを透過して光発散部材６１の下層部３３に入射するので、従来例のように発光素子１１の光が時計ガラス３の全体に向けて照射されることがない。また、光発散部材６１は、その内周部側の一部が発光素子１１に対向する時計ガラス３の上側に位置すると共に外周部側の一部が時計ガラス３の外側に位置する構成であるから、発光素子１１を表示部９の近傍に接近させて配置しても、光発散部材６１の発散面積を大きくすることができると共に、光発散部材６１の中心部をできるだけ表示部９から離すことができる。
【００６６】
このため、この発光装置６０においても、実施形態５と同様、光発散部材６１が表示部９に対し光による影響を及ぼすことがなく、発光素子１１に対向する下層部３３の下面に形成された拡散面５２と、上部層３２と下層部３３との間に設けられた拡散板６２との両者によって、発光素子１１で発光した光を光発散部材６１から効率良く腕時計ケース１の外部に集中させて発散させることができ、これにより光発散部材６１を明るく発光させて、アラーム時刻などの注意を光によって喚起することができる。
【００６７】
なお、上記実施形態５、６では、発光素子１１に対向する光発散部材５１、６１の下層部３３の下面を拡散面５２に形成した場合について述べたが、これに限らず、発光素子１１に対向する光発散部材５１、６１の下層部３３の下面に、実施形態２と同様、拡散板２２を設けた構成でも良い。このような構成でも、実施形態５、６と同様の作用効果が得られる。
【００６８】
また、上記実施形態５では、光発散部材５１の上層部３２と下層部３３との重なり合う面を拡散面３４に形成した構成であり、また上記実施形態６では、光発散部材６１の上層部３２と下層部３３との間に拡散板６２を設けた構成である場合について述べたが、これに限らず、上層部３２と下層部３３との両者にそれぞれ拡散剤を混入させ、この混入された拡散剤によって発光素子１１からの光を上層部３２中と下層部３３中とでそれぞれ拡散させるように構成しても良い。
【００６９】
さらに、上記実施形態１〜６では、この発明の発光装置を腕時計に適用した場合について述べたが、必ずしも腕時計である必要はなく、トラベルウォッチ、目覚まし時計、置き時計、掛け時計などの各種の時計にも適用することができるほか、携帯電話機やＰＤＡ（パーソナル・デジタル・アシスタント）などの各種の電子機器にも広く適用することができる。
【図面の簡単な説明】
【００７０】
【図１】この発明を適用した腕時計の正面図である。（実施形態１）
【図２】図１のＡ−Ａ矢視における要部の拡大断面図である。
【図３】図２における発光装置の光路状態を示した図である。
【図４】この発明を腕時計に適用した要部の拡大断面図である。（実施形態２）
【図５】この発明を腕時計に適用した要部の拡大断面図である。（実施形態３）
【図６】図５における発光装置の光路状態を示した図である。
【図７】この発明を腕時計に適用した要部の拡大断面図である。（実施形態４）
【図８】この発明を腕時計に適用した要部の拡大断面図である。（実施形態５）
【図９】図８における発光装置の光路状態を示した図である。
【図１０】この発明を腕時計に適用した要部の拡大断面図である。（実施形態６）
【符号の説明】
【００７１】
１  腕時計ケース
２  開口部
３  時計ガラス
４  ベゼル
５  時計モジュール
８  文字板
９  表示部
１０、２０、３０、４０、５０、６０  発光装置
１１  発光素子
１２、２１、３１、４１、５１、６１  光発散部材
１３、３４、５２  拡散面
２２、４２、６２  拡散板
３２  上層部
３３  下層部
【図１】
2006330039.tif 000003
【図２】
2006330039.tif 000004
【図３】
2006330039.tif 000005
【図４】
2006330039.tif 000006
【図５】
2006330039.tif 000007
【図６】
2006330039.tif 000008
【図７】
2006330039.tif 000009
【図８】
2006330039.tif 000010
【図９】
2006330039.tif 000011
【図１０】
2006330039.tif 000012